(57)【要約】【課題】  火災警報器のユーザの手動操作による定期点検を通知する火災警報器および火災警報器の定期点検補助システムを提供する。【解決手段】  火災検出時にスピーカ４２から音声警報を出力する火災警報器において、電源投入から定期点検時期が到来するまでの第１の所定時間（３０日）を計時する第１タイマ３１と、該第１タイマ３１の計時終了後、定期点検時期到来を通知する第２の所定時間（１０分）を計時する第２タイマを設け、該第２タイマ３２の計時中かつ正常監視状態時に、警報音出力部（４、４１、４２）を作動させて、前記警報音出力部（４、４１、４２）の定期点検時期の到来を通知する。【選択図】図２
2011013733.tif 000002
【特許請求の範囲】
【請求項１】
電源部と、所定時間を計時するタイマ部と、火災を検出する火災検出部と、警報音を発する警報音出力部と、前記火災検出部の検出信号により前記警報音出力部を作動させる制御部と、前記警報音出力部の点検を行う点検スイッチとを備えた火災警報器において、
前記タイマ部は、電源投入から定期点検時期が到来するまでの第１の所定時間を計時する第１タイマと、該第１タイマの計時終了後、定期点検時期到来を通知する第２の所定時間を計時する第２タイマとからなり、
該第２タイマの計時中かつ正常監視状態時に、前記警報音出力部を作動させて、前記警報音出力部の定期点検時期の到来を通知することを特徴とする火災警報器。
【請求項２】
電源部と、所定時間を計時するタイマ部と、火災を検出する火災検出部と、警報音を発する警報音出力部と、該警報音出力部と警報出力形態が異なる第２の警報出力部と、前記火災検出部の検出信号により前記警報音出力部を作動させる制御部と、前記警報音出力部の点検を行う点検スイッチとを備えた火災警報器において、
前記タイマ部は、電源投入から定期点検時期が到来するまでの第１の所定時間を計時する第１タイマと、該第１タイマの計時終了後、定期点検時期到来を通知する第２の所定時間を計時する第２タイマとからなり、
該第２タイマの計時中かつ正常監視状態時に、前記第２の警報出力部を作動させて、前記警報音出力部の定期点検時期の到来を通知することを特徴とする火災警報器。
【請求項３】
請求項１乃至２に記載の火災警報器において、
前記第１タイマが計時中に前記点検スイッチの入力を受信すると、前記警報音出力部を作動させた後、前記警報音出力部を停止させるとともに前記第１タイマをリセットして第１の所定時間の計時を開始させることを特徴とする火災警報器。
【請求項４】
請求項１に記載の火災警報器において、
前記第２タイマが計時中に前記点検スイッチの入力を受信すると、前記警報音出力部を停止させるとともに前記第１タイマをリセットして第１の所定時間の計時を開始させることを特徴とする火災警報器。
【請求項５】
請求項２に記載の火災警報器において、
第２タイマ計時中に前記点検スイッチの入力を受信すると、前記第２の警報出力部を停止させて、前記警報音出力部を作動させた後、前記警報音出力部を停止させるとともに前記第１タイマをリセットして第１の所定時間の計時を開始させることを特徴とする火災警報器。
【請求項６】
請求項１乃至２に記載の火災警報器において、
前記第２タイマが第２の所定時間の計時を終了すると、前記第１タイマが第１の所定時間の計時を開始することを特徴とする火災警報器。
【請求項７】
請求項１乃至６に記載の火災警報器において、
定期点検通知ＯＮ／ＯＦＦ設定部を備えていることを特徴とする火災警報器。
【請求項８】
電源部と、所定時間を計時するタイマ部と、火災を検出する火災検出部と、警報音を発する警報音出力部と、前記火災検出部の検出信号により前記警報音出力部を作動させる制御部と、前記警報音出力部の点検を行う点検スイッチと、連動信号を入出力する連動信号送受信部とを備えた複数の火災警報器からなる火災警報器の定期点検補助システムにおいて、
一つの火災警報器が、
正常監視時に前記所定時間の計時を終了すると、定期点検時期の到来を通知する連動信号を出力し、
該連動信号を受信した他の火災警報器が
当該他の火災警報器の警報音出力部を作動させて、前記一つの火災警報器の警報出力部の定期点検時期の到来を通知することを特徴とする火災警報器の定期点検補助システム。
【発明の詳細な説明】
【技術分野】
【０００１】
本発明は、ユーザーに定期点検を促す機能を備えた火災警報器および火災警報器システムに関するものである。
【背景技術】
【０００２】
従来、特許文献１に示されているようなスピーカと警報停止スイッチを備えた住宅用火災警報器が知られており、この火災警報器は、煙または熱を検出するセンサー部の自己診断を含む異常監視を行い、異常監視が異常である場合には、異常である旨の音声（音声による警報）をスピーカから出力するようにしている。
【０００３】
また、火災警報器は、電池駆動によるものとＡＣ電源駆動によるものがあり、電池式火災警報器の場合には、電池電圧低下検出および電池電圧低下警報（電池切れ警報）の機能が装備されている（特許文献２）。
【０００４】
なお、その他の火災警報器および火災警報システムに関する技術として、複数の火災警報器を無線または有線により接続して、火災警報器に関する各種情報を相互に収集・制御可能ないわゆる連動型の火災警報器および火災警報システム（火災警報器連動システム）がある。
【先行技術文献】
【特許文献】
【０００５】
【特許文献１】特開２００９−４８５９０号公報
【特許文献２】特開２００５−４４３１７号公報
【発明の概要】
【発明が解決しようとする課題】
【０００６】
上述したように、火災警報器は、様々な点検機能や警報機能が搭載されており、火災を検出した場合や故障した場合にこれらの監視結果情報をユーザに対してユーザが認識可能な警報手段を用いて通知するものである。しかし、従来より、火災警報器は、正常監視時においてユーザに対して何ら通知を行わない構成となっている。
【０００７】
ところで、上述のような火災警報器の構成においては、万一、火災警報器が何らかの原因で完全に故障してしまった場合や、火災警報器がユーザ不在の状況下において電池電圧低下警報（電池切れ警報）を発し続け、その警報を認識されなれないまま電池切れとなって完全に機能停止してしまった場合、火災が発生しても火災警報器は火災を検出して警報することができない。
【０００８】
そこで、このような事態を回避すべく火災警報器の取扱説明書や販売時の製品説明等では、ユーザに対して、ユーザ自身の手動操作により火災警報器が正常に警報出力を行うことができるか否かを必ず定期的に点検するように勧めている。
【０００９】
なお、ユーザ自身の手動操作により火災警報器が正常に警報出力を行うことができるか否かを点検する例として、「初めて火災警報器の取り付けをしたとき」、「電池の交換をしたとき」、「汚れなどの掃除をしたとき」、「取り付け場所を変更したとき」、「故障や電池切れが疑われるとき」、「長期留守にしたとき（３日間以上）」などが挙げられる。
【００１０】
また、一般的に、定期点検時の点検スイッチ操作により、火災警報器の火災検出部、電源電圧などについても試験が行われる（または、自動試験結果の履歴参照による正常または異常の通知が行われる）。
また、一般的に、定期点検スイッチは、ボタン押動操作および／または引き紐操作によりスイッチ操作可能な構成とされており、警報停止機能を兼ね備えている。
【００１１】
しかし、火災警報器およびこの定期点検は、多くのユーザにとっては日常生活と関連がなく、馴染みの薄いものであるので、ユーザが定期点検を忘れてしまうことがある。
また、火災警報器は、高所に設置されているため、点検行為が面倒あるいは作業困難であり、敬遠される場合もある。
【００１２】
したがって、本発明は、ユーザが行う定期点検時期の到来をユーザに促し、あるいは定期点検を補助する火災警報器および定期点検補助システムを提供することを目的とする。
【課題を解決するための手段】
【００１３】
上記目的を達成するために、請求項１記載の発明は、電源部と、所定時間を計時するタイマ部と、火災を検出する火災検出部と、警報音を発する警報音出力部と、前記火災検出部の検出信号により前記警報音出力部を作動させる制御部と、前記警報音出力部の点検を行う点検スイッチとを備えた火災警報器において、前記タイマ部は、電源投入から定期点検時期が到来するまでの第１の所定時間を計時する第１タイマと、該第１タイマの計時終了後、定期点検時期到来を通知する第２の所定時間を計時する第２タイマとからなり、該第２タイマの計時中かつ正常監視状態時に、前記警報音出力部を作動させて、前記警報音出力部の定期点検時期の到来を通知することを特徴とする。
【００１４】
上記目的を達成するために、請求項２記載の発明は、電源部と、所定時間を計時するタイマ部と、火災を検出する火災検出部と、警報音を発する警報音出力部と、該警報音出力部と警報出力形態が異なる第２の警報出力部と、前記火災検出部の検出信号により前記警報音出力部を作動させる制御部と、前記警報音出力部の点検を行う点検スイッチとを備えた火災警報器において、前記タイマ部は、電源投入から定期点検時期が到来するまでの第１の所定時間を計時する第１タイマと、該第１タイマの計時終了後、定期点検時期到来を通知する第２の所定時間を計時する第２タイマとからなり、
該第２タイマの計時中かつ正常監視状態時に、前記第２の警報出力部を作動させて、前記警報音出力部の定期点検時期の到来を通知することを特徴とする。
【００１５】
上記目的を達成するために、請求項３記載の発明は、請求項１乃至２に記載の火災警報器において、前記第１タイマが計時中に前記点検スイッチの入力を受信すると、前記警報音出力部を作動させた後、前記警報音出力部を停止させるとともに前記第１タイマをリセットして第１の所定時間の計時を開始させることを特徴とする。
【００１６】
上記目的を達成するために、請求項４記載の発明は、請求項１に記載の火災警報器において、前記第２タイマが計時中に前記点検スイッチの入力を受信すると、前記警報音出力部を停止させるとともに前記第１タイマをリセットして第１の所定時間の計時を開始させることを特徴とする。
【００１７】
上記目的を達成するために、請求項５記載の発明は、請求項２に記載の火災警報器において、第２タイマ計時中に前記点検スイッチの入力を受信すると、前記第２の警報出力部を停止させて、前記警報音出力部を作動させた後、前記警報音出力部を停止させるとともに前記第１タイマをリセットして第１の所定時間の計時を開始させることを特徴とする。
【００１８】
上記目的を達成するために、請求項６記載の発明は、
請求項１乃至２に記載の火災警報器において、
前記第２タイマが第２の所定時間の計時を終了すると、前記第１タイマが第１の所定時間の計時を開始することを特徴とする。
【００１９】
上記目的を達成するために、請求項７記載の発明は、請求項１乃至６に記載の火災警報器において、定期点検通知ＯＮ／ＯＦＦ設定部を備えたことを特徴とする。
【００２０】
上記目的を達成するために、請求項８記載の発明は、電源部と、所定時間を計時するタイマ部と、火災を検出する火災検出部と、警報音を発する警報音出力部と、前記火災検出部の検出信号により前記警報音出力部を作動させる制御部と、前記警報音出力部の点検を行う点検スイッチと、連動信号を入出力する連動信号送受信部とを備えた複数の火災警報器からなる火災警報器の定期点検補助システムにおいて、一つの火災警報器が、正常監視時に前記所定時間の計時を終了すると、定期点検時期の到来を通知する連動信号を出力し、該連動信号を受信した他の火災警報器が当該他の火災警報器の警報音出力部を作動させて、前記一つの火災警報器の警報出力部の定期点検時期の到来を通知することを特徴とする。
【発明の効果】
【００２１】
本発明のユーザーに定期点検を促す機能を備えた火災警報器および火災警報器システムにより、ユーザーの所望に応じて定期点検補助通知機能のＯＮ／ＯＦＦ設定を行うことができる。また、ユーザーが当該機能をＯＮに設定した場合には、火災警報器の定期点検を積極的に行う契機となる。
【図面の簡単な説明】
【００２２】
【図１】図１は、本発明に係る火災警報器の外観の一例を示す図である。
【図２】図２は、本発明に係る火災警報器の一構成例を示す図である。
【図３】図３は、本発明に係る火災警報器の定期点検補助通知動作（定期点検時期到来の通知動作）を示すフローチャートである。
【図４】図４は、本発明の他の実施形態に係る火災警報器の定期点検補助通知動作（定期点検時期到来の通知動作）を示すフローチャート
【発明を実施するための形態】
【００２３】
以下、本発明を実施するための最良の形態を図面に基づいて説明する。なお、本発明の実施例において、正常監視時（正常監視状態）とは、火災警報器の各機能が正常に動作している状態であって、火災検出警報、電源電圧低下警報（電池切れ警報）、故障警報などがなされていない状態、または火災警報器の記憶部に火災検出、電源電圧低下検出（電池切れ検出）、故障検出などの履歴情報がない状態をいう。
【００２４】
図１は本発明に係る火災警報器１の外観の一例を示す図である。また、図２は本発明に係る火災警報器の一構成例を示す図である。図３は、本発明に係る火災警報器の定期点検補助通知動作を示すフローチャートである。図４は、本発明の他の実施形態に係る火災警報器の定期点検補助通知動作（定期点検時期到来の通知動作）を示すフローチャートである。
【００２５】
先ず、図２を参照すると、本発明の火災警報器１は、電源部（例えば６Ｖの電池）１００と、全体を制御するマイクロコンピュータ２（以下、マイコン２と称す）と、火災検出部（センサー部）３と、音声による警報を行う音声警報部（音声合成部）４と、マイコン２にＯＮ／ＯＦＦ選択設定を入力する設定入力部５と、点検入力部８と、表示部６（作動表示灯６）とを有している。
【００２６】
また、音声警報部（音声合成部）４には、音声による警報を出力するスピーカ４１と、音声による警報を停止するための警報停止スイッチ４２とが接続されている。したがって、本発明の警報音出力部は、音声警報部（音声合成部）４およびスピーカ４１および警報停止スイッチ４２である。
また、設定入力部５には、本発明の定期点検補助通知機能をＯＮ／ＯＦＦ選択設定するＯＮ／ＯＦＦ選択設定用スイッチ５２が接続されている。
また、点検入力部８には、点検用スイッチ８２が接続されている。
【００２７】
また、図１を参照すると、火災警報器１の頂部には、作動表示灯６（表示部６）が設けられ、火災警報器１の使用者（ユーザ）が操作しやすい位置には音響停止ボタン９が設けられ、また、火災警報器には、音響を出力するための音響孔４３が設けられている。
すなわち、警報停止ボタン９の押動操作または図示しない引き紐操作により、警報停止スイッチ４２がＯＮされる。
【００２８】
また、一般的には、警報停止スイッチ４２と点検スイッチ８２を警報停止ボタン９が兼ねており、押動操作の態様やマイコン２の制御モードの違いなどにより、警報停止ボタン９の押動操作による入力が、警報停止スイッチ４２の入力であるかあるいは点検スイッチ８２の入力であるかが識別される。
【００２９】
また、ＯＮ／ＯＦＦ選択設定用スイッチ５２は、好適には、警報停止ボタン９を兼用し、異なる操作態様によって（例えば、警報停止ボタン９を押す時間長さを異にする操作態様などによって）、警報停止スイッチ４２として機能させる場合と、定期点検補助通知のＯＮ／ＯＦＦ選択設定用スイッチ５２として機能させる場合とを、選択させるようにするのが良い。なお、、ＯＮ／ＯＦＦ選択設定用スイッチ５２によって音声による警報を行うか否かのＯＮ／ＯＦＦ選択設定や本発明の定期点検補助通知を行うか否かのＯＮ／ＯＦＦ選択設定を容易に行えるようにし、火災警報器１の使用者が、各種機能を選択して使用できるようになっている。また、ＯＮ／ＯＦＦ選択設定用スイッチ５２として、トグルスイッチ、スライドスイッチ、ディップスイッチなどが用いられてもよい。
【００３０】
ここで、上述したマイコン２には、制御部１０と、記憶部２０と、タイマ部３０が設けられ、制御部１０は、電源部（例えば６Ｖの電池）１００の電圧を監視する電源電圧監視部１３と、試験制御部１４と、設定入力部５からの入力が何であるか、あるいは点検入力部８からの入力が何であるかを判定する入力判定部１５と、作動表示灯６（表示部６）の表示を制御する表示制御部１６とを備えている。また、記憶部２０は、火災検出フラグ２１と、断線等の回路故障を検出する故障フラグ２２と、電池（電源部１００）の電圧が所定の電圧値以下となったこと、例えば５Ｖ以下に低下したことを検出したらセットされる電圧低下検出フラグ２３と、定期点検時期到来通知フラグ２４などの各種制御処理に関する情報が記憶されている。
【００３１】
また、タイマ部３０は、後述する定期点検の期間（例えば３０日）を計時する第１タイマ３１と、定期点検補助通知（定期点検時期到来の通知）を行う場合の警報出力時間（例えば１０分）を計時する第２タイマ３２と、ユーザが自発的に定期点検を行った場合の警報出力時間（例えば１０秒）を計時する第３タイマ３３などから構成される。
【００３２】
また、マイコン２は、各監視処理の結果に基づいて、音声合成回路４に対し、各種警報に関するフレーズに関する情報を含んだ音声出力指令信号を出力するようになっている。例えば、火災検出フラグがセットされている場合には、火災音声警報出力指令信号を音声合成回路４に対して出力し、音声合成回路４が「ヒュー、ヒュー、ヒュー、火事です。火事です。」という音声警報を合成し、スピーカ４１を介して出力する。また、サーミスタ断線時や電池電圧低下時には、異常音声警報出力指令信号を１時間毎に流し、「警報器が異常です。交換してください。」の警報音を音声合成回路４に対して出力させる。
【００３３】
また、正常監視状態時の定期点検補助通知時（定期点検時期到来の通知時）には、マイコン２は、「定期点検を行って下さい。」との警報音を音声合成回路４に対して出力させる。ここで、定期点検補助通知（定期点検時期到来の通知）とは、火災警報器１が、火災を検出しおらず（火災フラグＯＦＦ）、また、故障検出および電源電圧低下検出をしていないときであって（故障フラグＯＦＦ、電源電圧低下フラグＯＦＦ）、さらに、例えば電池嵌入により火災警報器１の電源が投入されてから３０日を経過した時に通知されるものであり、ユーザに対して定期点検時期が到来したことを知らせるものである。したがって、この定期点検補助通知中（定期点検時期到来の通知中）に上述のメッセージが出力される。
【００３４】
（動作説明）
次に、本発明の定期点検補助通知の動作を図３の動作フローチャートを用いて説明する。
まず、電池を嵌入して電源投入されると、マイコン２が、設定入力部８で設定されている定期点検補助通知機能（定期点検時期到来の通知機能）の設定のＯＮ／ＯＦＦを入力判定部１５で判定・確認する。なお、本実施例においては、製造時において定期点検補助通知機能がＯＮ設定されているとして説明する。
【００３５】
なお、ユーザが本機能を必要としない場合には、例えば、定期点検補助通知機能に関する設定入力を判定後、「５秒以内に警報停止ボタンを長押しすると、定期点検補助通知を行わない設定にします。」とのメッセージを出力し、ユーザに当該機能の選択をさせる構成とすればよい。そして、定期点検補助通知ＯＦＦに設定された場合は、「定期点検補助通知を行いません。必ず定期的に火災警報器の点検を行って下さい。」とのメッセージを出力する構成とすればよい。
【００３６】
（実施例１）
電源投入されると、マイコン２は、入力判定部１５で設定入力部８の定期点検補助通知（定期点検時期到来の通知）ＯＮを判定し、第１タイマにより第１の所定時間（３０日）の計時を開始させる（Ｓ１）。
また、第１タイマが３０日を計時中、点検スイッチ８２の入力の有無を確認する（Ｓ２）。そして、点検スイッチ８２の入力がなく（警報停止ボタン９が押動操作されない、または、引き紐操作されない）、第１タイマが３０日の計時終了すると、続いて第２タイマによる第２の所定時間（１０分）の計時を開始する（Ｓ３、Ｓ４）。
【００３７】
第２タイマが計時中であって、さらに正常監視状態である場合、すなわち、火災フラグ２１、故障フラグ２２、電源電圧低下フラグ２３がセットされていない場合には、火災警報器１は、上述した「定期点検を行って下さい。」との定期点検補助通知警報音（定期点検時期到来の通知警報音）による通知を行う（図３のＳ５、Ｓ６）。なお、ここで出力される定期点検補助通知の警報音は、火災警報音と同程度の音量が短時間出力されていればよく、それ以外は、警報音がユーザに認識できる程度の音量でよい。すなわち、設計上、定期点検補助通知時の上記短時間に出力される補助警報音は、製造時に確認される「無響室で警報部の中心から前方１メートル離れた地点で測定した値が、７０デシベル以上である」との条件を満たす音量と同程度の音量を出力できるようにすればよい。また、第２タイマの計時中は、上記定期点検補助通知メッセージが１０分間に数回出力される構成であればよい。
【００３８】
次に、ユーザが定期点検補助通知警報音に気づき、警報停止ボタン９の押動操作または引き紐操作が行われると、定期点検補助通知警報音の出力を停止し、タイマ部３０がリセットされる（図３のＳ７、Ｓ１１、Ｓ１２）。
なお、ユーザが定期点検を行う場合に、従来の点検と同じく「ヒュー、ヒュー、ヒュー、火事です。火事です。」との火災音声警報出力をさせても良い。
【００３９】
一方、ユーザが不在または定期点検補助通知警報音（定期点検時期到来の通知警報音）を聞き取れなかったなどの理由により、警報停止ボタン９押動操作または引き紐操作が行われないと、第２タイマ３２の計時が終了し、マイコン２は、定期点検補助通知警報音の出力を停止する（Ｓ７、Ｓ８、Ｓ９）。なお、この場合は、第１タイマによる３０日間の計時が開始されるが、この動作と併せて、または、切り替え制御して、作動表示灯６（表示部６）を点灯制御または点滅制御することによって、ユーザに対して引き続き定期点検時期が到来していることを示しても良い。
【００４０】
なお、本実施例では、第２の所定時間（１０分）の計時方法については、第１の所定時間（３０日）を計時後に、第２の所定時間（１０分）の計時を開始する構成としているが、第１の所定時間（３０日）の計時開始と同時に開始して第１の所定時間の計時終了後も第２の所定時間の計時を継続する構成にしてもよい。すなわち、第１所定時間（３０日）の計時終了後、音声警報部４が、スピーカ４１による定期点検補助通知警報音の出力を開始してから所定の期間（１０分）経過後に警報出力を停止できる構成であればよい。
【００４１】
なお、上記動作のステップ２（図３のＳ２）において、第１タイマが３０日を計時中に、点検スイッチから入力があった場合は、ユーザが自発的に警報停止ボタン９押動操作または引き紐操作を行ったことになるので、いわゆる通常の定期点検がなされたことになる。したがって、この時に火災警報器１が正常である場合には、第３タイマが第３の所定時間（１０秒間）の計時を開始するともに音声警報部４を制御して、火災検出時に出力される火災警報音「ヒュー、ヒュー、ヒュー、火事です。火事です。」（２回／１０秒間）を出力する（図３のＳ１３、Ｓ１４、Ｓ１５）。そして、火災警報音出力を停止し、第３タイマの計時を終了した後、タイマ部３０をリセットする（図３のＳ１６、Ｓ１７、Ｓ１８）。
【００４２】
また、上記動作のステップ１４（図３のＳ１４）において、火災警報器１が正常監視状態でない場合、すなわち、火災検出または故障検出または電源電圧低下検出をしている場合には、マイコン２は、「警報器が異常です。交換してください。」の警報音を音声合成回路４に対して出力させる（図３のＳ１４、Ｓ１９）。
【００４３】
また、上記動作のステップ５（図３のＳ５）において、第２タイマが１０分を計時中に、火災警報器が正常監視状態でない場合、すなわち、火災検出または故障検出または電源電圧低下検出をしている場合には、マイコン２は、「警報器が異常です。交換してください。」の警報音を音声合成回路４に対して出力させる（図３のＳ５、Ｓ１９）。
【００４４】
なお、本実施例１においては、定期点検補助通知を、音声警報部４およびスピーカ４１などを制御して警報音を出力することにより、火災警報器１の音声警報出力機能が正常か否かを点検する構成としたが、図４に示されるように、定期点検補助通知（定期点検時期到来の通知）を表示部６（作動表示灯６）の点滅・点灯制御による通知として、ユーザに対して定期点検時期が到来したことを通知してもよい（実施例２）。なお、この場合、表示部６は、本発明の第２の警報出力部となる。
【００４５】
この場合には、定期点検時期到来の通知を表示手段によって行っているので（図４のＳ６）、当該定期点検時期到来通知に気付いたユーザが警報停止ボタン９の押動操作または引き紐操作を行い、この手動操作により火災警報器１が点検用スイッチ８２の入力を受信し（図４のＳ７）表示部６の動作を停止させて（作動表示灯６を消灯させて）（図４のＳ１１）、さらに火災音声警報を第３所定時間（１０秒間）出力させて定期点検が完了することになる（図４のＳ１３〜Ｓ１８）。
そして、火災音声警報出力が停止するとともに第３所定時間（１０秒間）の計時が終了され、タイマ部３０がリセットされて、再び第１タイマが第１所定時間（３０日）の計時を開始する（図４のＳ１６〜Ｓ１８、Ｓ１）。
【００４６】
なお、図４の動作フローにおいて、上述したような正常監視状態時であって作動表示灯６の点灯または点滅制御による定期点検補助通知（定期点検時期到来の通知）中に、点検スイッチ入力があったときの動作以外の動作は、実施例１で警報音による定期点検補助通知を表示によるものに変更した以外は同様の動作である。
【００４７】
（実施例３）
次に、第３の実施例を用いて、定期点検補助通知システムについて説明する。
図１に示されるように、本実施例３の火災警報器１は、実施例１の構成にさらに、連動信号送受信部１９および連動制御部１８を備えており、複数の火災警報器１により火災警報器連動システムを構成する。
【００４８】
一つの火災警報器１（以下、火災警報器１ａという。）が、電源投入から第１の所定時間３０日を計時後であって、正常監視状態である場合に、定期点検スイッチ８２の入力がないと、第２の所定時間（１０分間）、表示部６（作動表示灯６）を点灯または点滅制御するとともに、連動制御部において火災警報器１ａが点検時期であることを示す情報を含んだ連動信号ｓｉｇを生成して、連動信号送受信部１９から送出させる。
【００４９】
他の火災警報器１（以下、火災警報器１ｂという。）が連動信号送受信部１９で火災警報器１ａから送出された連動信号Ｓｓｔｔを受信して連動制御部１８で解析した後、火災警報器１ｂの音声警報部４を制御して、火災警報器１ａが定期点検時期である旨のメッセージ、例えば、「火災警報器１ａの定期点検を行って下さい」との定期点検補助警報音を第２の所定時間（１０分間）出力する。そして、第２所定時間（１０分）を計時終了後、火災警報器１ｂは、タイマ部３０リセットして、正常監視状態に戻る。
【００５０】
一方、ユーザが火災警報器１ａの表示部６による定期点検補助警報または、火災警報器１ｂによる定期点検補助通知音に気付いて、火災警報器１ａの定期点検を行うと、火災警報器１ａの第３タイマが第３の所定時間（１０秒間）の計時を開始するともに、制御部１０が、音声警報部４を制御して、火災検出時に出力される火災警報音「ヒュー、ヒュー、ヒュー、火事です。火事です。」（２回／１０秒間）を出力する。さらに、表示部６の点灯・点滅制御を停止する。そして、火災警報音出力を停止し、第３タイマの計時を終了した後、タイマ部３０をリセットするとともに、火災警報器１ｂへ定期点検が行われたことを示す情報を含んだ連動信号Ｓｃｐｔを生成して、連動信号送受信部１９から送出させる。
【００５１】
火災警報器１ｂが、第２の所定時間（１０分間）計時中に、連動信号送受信部１９で、火災警報器１ａから送出された連動信号Ｓｃｐｔを受信して連動制御部１８で解析すると、第２の所定時間（１０分間）出力するとともに、火災警報器１ｂの音声警報部４を制御して「火災警報器１ａの定期点検を行って下さい」との定期点検補助警報音の出力を停止する。さらに、火災警報器１ｂは、タイマ部３０リセットして、正常監視状態に戻る。
【００５２】
なお、本発明の定期点検補助警報を出力する場合、夜間の警報出力を避けることが好まししので、特許文献２の技術と組み合わせれば運用の際に好適である。
【産業上の利用可能性】
【００５３】
本発明の定期点検補助通知機能は、ガス警報器およびガス警報システムにも適用できる。
【符号の説明】
【００５４】
１  火災警報器
２  マイクロコンピュータ（マイコン）
３  火災検出部
４  音声警報（音声合成部）
５  ＯＮ／ＯＦＦ選択設定入力部
６  表示部（第２の警報出力手段）
８  点検入力部
９  警報停止ボタン
４１  スピーカ（警報音出力手段）
４２  警報停止スイッチ
５２  ＯＮ／ＯＦＦ選択設定用スイッチ
８２  点検用スイッチ
１００  電源部（電池またはＡＣ電源）
【図１】
2011013733.tif 000003
【図２】
2011013733.tif 000004
【図３】
2011013733.tif 000005
【図４】
2011013733.tif 000006